(57)【特許請求の範囲】
【請求項１】
カメラ本体の前面に設けた撮像レンズを通して撮像した映像をメモリーカードに記憶させるようにした電子スチルカメラにおいて、前記撮像レンズのレンズカバーが、前記カメラ本体の前面に形成した上下一対のガイド溝に係合されてレンズ閉鎖位置とレンズ開放位置との間を往復移動可能に構成されると共に、該レンズカバーがレンズ開放位置から前方に回動可能に構成され、そのレンズカバーの裏面に予備のメモリーカードを格納する格納部が設けられていることを特徴とする電子スチルカメラ。
【請求項２】
前記レンズカバーの一側縁上下端部に上下動可能に設けられてばねにより外方に付勢された上下一対のガイドピンと、前記レンズカバーの他側縁上下端部に突設された上下一対の突起部とが前記各ガイド溝に係合されており、前記レンズカバーをレンズ開放位置まで移動させたときに、前記各ガイドピンの先端が前記各ガイド溝の底面に形成した枢支孔に回転可能に係合されると共に、前記各突起部が前記ガイド溝の前壁部に形成した切り欠き部に対向されるようにしたことを特徴とする請求項１記載の電子スチルカメラ。
【請求項３】
前記カメラ本体に、レンズ開放位置まで移動したレンズカバーに係脱可能に係合するロック部材が設けられていることを特徴とする請求項１または２記載の電子スチルカメラ。
【発明の詳細な説明】
【０００１】
【発明の属する技術分野】
本発明は予備のメモリーカードを格納することができるようにした電子スチルカメラに関する。
【０００２】
【従来の技術】
従来、電子カメラの一例として、カメラ本体の前面に設けた撮像レンズを通して撮像した映像を該カメラ本体のスロットに装着したメモリーカードに記憶させるようにしたものがあり、前記メモリーカードの記憶容量が満杯になったときのための予備のメモリーカードをハードケースなどに入れてカメラ本体とは別個に持ち運ぶようにしているため、その予備のメモリーカードを忘れたり紛失したりする虞れがある。
【０００３】
そこで、特開昭６１−１２３８２５号公報に記載の技術に基づいて、前記カメラ本体に袋状部を取り付け、その袋状部内に予備のメモリーカードを収納することが考えられる。
【０００４】
【発明が解決しようとする課題】
上記従来の構成では、予備のメモリーカードを収納するための袋状部がカメラ本体の外部に露出しているため、その袋状部が撮像の際に邪魔になる虞れがあると共に、外観上の体裁も良くない。
【０００５】
本発明は、上記従来の欠点に鑑み、予備のメモリーカードを格納できるようにした電子スチルカメラを提供することを目的としている。
【０００６】
【課題を解決するための手段】
上記目的を達成するため、請求項１記載の発明は、カメラ本体の前面に設けた撮像レンズを通して撮像した映像をメモリーカードに記憶させるようにした電子スチルカメラにおいて、前記撮像レンズのレンズカバーが、前記カメラ本体の前面に形成した上下一対のガイド溝に係合されてレンズ閉鎖位置とレンズ開放位置との間を往復移動可能に構成されると共に、該レンズカバーがレンズ開放位置から前方に回動可能に構成され、そのレンズカバーの裏面に予備のメモリーカードを格納する格納部が設けられていることを特徴としている。
【０００７】
上記構成において、カメラ本体のスロットに装着したメモリーカードを取り替える場合には、そのスロットからメモリーカードを取り外した後、カメラ本体内に格納した予備のメモリーカードを前記スロットに装着すればよい。
【０００８】
この場合、予備のメモリーカードをカメラ本体内に格納するようにしているので、その予備のメモリーカードを忘れたり紛失したり損傷させたりする虞れがなく、また、その予備のメモリーカードが撮像の際に邪魔にならず、外観上の体裁が良好である。
また、レンズカバーを予備のメモリーカードの格納部として兼用しているので、部品点数が増加せず、製作費を安くすることができる。
【０００９】
更に、レンズカバーをレンズ開放位置から前方に回動させることにより、該レンズカバーの裏面に設けた格納部を外部に露出させて、その格納部から予備のメモリーカードを簡単に取り外すことができると共に、その格納部に予備のメモリーカードを簡単に格納することができる。
【００１０】
請求項２記載の発明は、請求項１記載の発明において、前記レンズカバーの一側縁上下端部に上下動可能に設けられてばねにより外方に付勢された上下一対のガイドピンと、前記レンズカバーの他側縁上下端部に突設された上下一対の突起部とが前記各ガイド溝に係合されており、前記レンズカバーをレンズ開放位置まで移動させたときに、前記各ガイドピンの先端が前記各ガイド溝の底面に形成した枢支孔に回転可能に係合されると共に、前記各突起部が前記ガイド溝の前壁部に形成した切り欠き部に対向されるようにしたことを特徴としている。
【００１１】
上記構成によれば、レンズカバーをレンズ開放位置まで移動させた後、該レンズカバーの他側縁を前方に引っ張るだけで、上下一対のガイドピンを中心に該レンズカバーが前方に回動され、上下一対の突起部が切り欠き部を通過して、レンズカバーの裏面に設けた格納部を外部に簡単に露出させることができる。
【００１２】
請求項３記載の発明は、請求項１または２記載の発明において、前記カメラ本体に、レンズ開放位置まで移動したレンズカバーに係脱可能に係合するロック部材が設けられていることを特徴としている。
【００１３】
上記構成によれば、レンズカバーをレンズ開放位置まで移動させると、該レンズカバーにロック部材が係脱可能に係合されるので、そのレンズカバーが不測に前方に回動される虞れがない。
【００１４】
【発明の実施の形態】
以下、本発明の実施の形態を図面に基づいて説明する。図１は本発明の実施の一形態である電子スチルカメラを示すものであって、カメラ本体１の前面に撮像レンズ２を取り囲むようにして横長矩形状の凹部３が形成され、該凹部３の上下縁部に形成したガイド溝３ａ，３ｂに沿ってレンズ開放位置Ａとレンズ閉鎖位置Ｂとの間を移動可能なレンズカバー４の裏面に予備のメモリーカードＭａを格納するための格納部５が設けられ、カメラ本体１の前面にレンズ開放位置Ａまで移動したレンズカバー４に係脱可能に係合するロック部材６が設けられ、前記カメラ本体１の上面にシャッター釦７やモード切換釦８ａなどの操作部８が設けられている。
【００１５】
前記レンズカバー４は、図２に示すように、前記凹部３の幅のほぼ２分の１の幅に設定された矩形状枠体４ａを有し、該枠体４ａの一側縁上下端部に貫設した貫通孔９に上下動可能に挿通されてばね１０により外方に付勢された上下一対のガイドピン１１と、レンズカバー４の他側縁上下端部に突設された突起部１２とが前記各ガイド溝３ａ，３ｂに係合されており、その各ガイドピン１１及び突起部１２を介してレンズカバー４がレンズ開放位置Ａ（図２〜図４参照）とレンズ閉鎖位置Ｂ（図５参照）との間を往復移動可能に構成されている。
【００１６】
図２〜図４に示すように、レンズカバー４をレンズ開放位置Ａまで移動させたときに、各ガイドピン１１の先端が各ガイド溝３ａ，３ｂの底面に形成した枢支孔１３に係合されると共に、各突起部１２がガイド溝３ａ，３ｂの前壁部に形成した切り欠き部１４に対向されており、両ガイドピン１１を中心にレンズカバー４が前方に回動されることにより、各突起部１２が切り欠き部１４を通過するようになっている。また、図５に示すように、レンズカバー４をレンズ閉鎖位置Ｂまで移動させたときに、各ガイドピン１１の先端が各ガイド溝３ａ，３ｂの底面に形成した係合孔１５に係合されて、レンズカバー４が不測に移動しないようにしている。
【００１７】
前記格納部５は、枠体４ａの裏面に形成した凹段部１７からなり、該凹段部１７の開口部１７ａからその凹段部１７の上下縁部に一体形成した横断面略Ｌ字状の係合枠１７ｂ間に予備のメモリーカードＭａを挿入するようになっている。
【００１８】
前記ロック部材６は、図２及び図３に示すように、カメラ本体１の前壁部裏面に形成されて凹部３に開口するガイド孔１８に移動可能に挿入されたロック片６ａと、該ロック片６ａに一体突設されてカメラ本体１の前壁部に貫設した開口部１９を通って外部に突出する操作部６ｂとを有し、ロック片６ａを凹部３に向けて付勢するばね２０が設けられており、レンズカバー４をレンズ開放位置Ａまで移動させると、該レンズカバー４の側面に形成したロック孔２１がロック片６ａの先端部に嵌合して、そのレンズカバー４が前方に不測に回動されないようにロックし、このロック状態から、操作部６ｂを押してロック片６ａをばね２０に抗してロック孔２１から離脱させることにより、レンズカバー４を前方に回動させることができる。
【００１９】
図３中、２３はカメラ本体１の裏面に設けたスロットカバーであって、該スロットカバー２３を開放してカメラ本体１内のスロットにメモリーカードＭｂを装着するようになっている。２４はカメラ本体１の裏面に設けたバッテリーカバーである。
【００２０】
上記構成において、撮像しない場合には、図５に示すように、レンズカバー４をレンズ閉鎖位置Ｂまで移動させて撮像レンズ２を閉鎖すればよい。この場合、両ガイドピン１１が係合孔１５に係合しているので、レンズカバー４が不測に移動する虞れがなく、そのレンズカバー４により撮像レンズ２を確実に保護することができる。
【００２１】
撮像する場合には、図２〜図４に示すように、レンズカバー４をレンズ開放位置Ａまで移動させて、撮像レンズ２を開放すればよい。この場合、ロック部材６によりレンズカバー４がロックされているので、そのレンズカバー４が不測に前方に回動する虞れがない。
【００２２】
予備のメモリーカードＭａを格納部５に格納する場合には、図１に示すように、レンズカバー４をレンズ開放位置Ａまで移動させた状態で、ロック部材６の操作部６ｂを押してロックを解除した後、レンズカバー４の他側縁を前方に引っ張ることにより、該レンズカバー４を両ガイドピン１１を中心に前方に回動させ、これにより、外部に露出した格納部５内に予備のメモリーカードＭａを挿入した後、レンズカバー４の他側縁を後方に押し込めばよい。これによって、レンズカバー４が両ガイドピン１１を中心に後方に回動して凹部３内に戻され、ロック部材６によりレンズカバー４がロックされる。
【００２３】
この場合、予備のメモリーカードＭａをカメラ本体１内に格納するようにしているので、その予備のメモリーカードＭａを忘れたり紛失したり損傷させたりする虞れがなく、また、その予備のメモリーカードＭａが撮像の際に邪魔にならず、外観上の体裁が良好である。更に、レンズカバー４を予備のメモリーカードＭａの格納部５として兼用しているので、部品点数が増加せず、製作費を安くすることができる。
【００２４】
カメラ本体１のスロットに装着したメモリーカードＭｂを取り替える場合には、スロットからメモリーカードＭｂを取り外すと共に、前述した手順でレンズカバー４を両ガイドピン１１を中心に前方に回動させて格納部５を外部に露出させ、その格納部５内から取り外した予備のメモリーカードＭａを前記スロットに装着すればよい。
【００２５】
図３の仮想線は参考例を示すものであって、バッテリーカバー２４の裏面やスロットカバー２３の裏面に予備のメモリーカードＭａを格納する。
【００２６】
上記構成によれば、バッテリーカバー２４やスロットカバー２３を予備のメモリーカードＭａの格納部として兼用しているので、部品点数が増加せず、製作費を安くすることができる。
【００２７】
【発明の効果】
請求項１記載の発明によれば、予備のメモリーカードをカメラ本体内に格納するようにしているので、その予備のメモリーカードを忘れたり紛失したり損傷させたりする虞れがなく、また、その予備のメモリーカードが撮像の際に邪魔にならず、外観上の体裁が良好である。
【００２８】
また、レンズカバーを予備のメモリーカードの格納部として兼用しているので、部品点数が増加せず、製作費を安くすることができる。
【００２９】
更に、レンズカバーをレンズ開放位置から前方に回動させることにより、該レンズカバーの裏面に設けた格納部を外部に露出させて、その格納部から予備のメモリーカードを簡単に取り外すことができると共に、その格納部に予備のメモリーカードを簡単に格納することができる。
【００３０】
請求項２記載の発明によれば、レンズカバーをレンズ開放位置まで移動させた後、該レンズカバーの他側縁を前方に引っ張るだけで、上下一対のガイドピンを中心に該レンズカバーが前方に回動され、上下一対の突起部が切り欠き部を通過して、レンズカバーの裏面に設けた格納部を外部に簡単に露出させることができる。
【００３１】
請求項３記載の発明によれば、レンズカバーをレンズ開放位置まで移動させると、該レンズカバーにロック部材が係脱可能に係合されるので、そのレンズカバーが不測に前方に回動される虞れがない。
【図面の簡単な説明】
【図１】  本発明の実施の一形態である電子スチルカメラの斜視図である。
【図２】  同撮像レンズ開放状態の一部切り欠き正面図である。
【図３】  同撮像レンズ開放状態の一部切り欠き平面図である。
【図４】  同撮像レンズ開放状態の一部切り欠き側面図である。
【図５】  同撮像レンズ閉鎖状態の正面図である。
【符号の説明】
１      カメラ本体
２      撮像レンズ
３ａ    ガイド溝
３ｂ    ガイド溝
４      レンズカバー
５      格納部
６      ロック部材
１０    ばね
１１    ガイドピン
１２    突起部
１３    枢支孔
１４    切り欠き部
２３    スロットカバー
２４    バッテリーカバー
Ａ      レンズ開放位置
Ｂ      レンズ閉鎖位置
Ｍａ    予備のメモリーカード
【図１】
0003829889.tif 000002
【図２】
0003829889.tif 000003
【図３】
0003829889.tif 000004
【図４】
0003829889.tif 000005
【図５】
0003829889.tif 000006